(57)【要約】      （修正有）【課題】カードと嵌合する時のデータ伝送速度が向上するカード用コネクタを提供する。【解決手段】カード用コネクタ１００は、カードを収容するための挿着空間が形成される絶縁本体１と、前記絶縁本体に装着され、カードに接続するためのコンタクト部を有する複数の導電端子２とを含み、前記複数の導電端子は第一導電端子組を含み、第一導電端子としての４本の導電端子は、順に、接地端子、第１信号端子、第２信号端子、電源端子とする。カード用コネクタの第一導電端子組が、ＵＳＢ規格の配置方式に準拠するので、ＵＳＢ規格の信号を送受信でき、カードと電子機器間のデータ伝送速度が向上する。【選択図】図３
0003148128.tif 000002
【実用新案登録請求の範囲】
【請求項１】
カードを収容するための挿着空間が形成される絶縁本体と、
前記絶縁本体に装着され、前記カードと接続するためのコンタクト部を有する複数の導電端子と
を含むカード用コネクタにおいて、
前記複数の導電端子は第一導電端子の組を含み、該第一導電端子としての４本の前記導電端子は、順に、接地端子、第１信号端子、第２信号端子、電源端子であることを特徴とするカード用コネクタ。
【請求項２】
前記複数の導電端子は、前記カードの挿入方向と正対して、幅方向に整列配置されることを特徴とする、請求項１に記載のカード用コネクタ。
【請求項３】
前記接地端子、前記第１信号端子、前記第２信号端子、及び前記電源端子は、互いに平行に配置されることを特徴とする、請求項１に記載のカード用コネクタ。
【請求項４】
前記第１信号端子と前記第２信号端子は、一対の差動信号端子を形成することを特徴とする、請求項１に記載のカード用コネクタ。
【考案の詳細な説明】
【技術分野】
【０００１】
本考案は、新型カード用コネクタに関するものである。
【背景技術】
【０００２】
カードは広く普及しているので、一般的に電子機器にカード用コネクタが設置され、カード用コネクタによりカードと電子機器との間の信号を伝送できる。しかし、カードのデータ伝送速度が低いので、特殊な場合の要求を満足させる事が出来ない。ＵＳＢ規格に準拠する電子機器は、高い伝送速度を持つ事が認知されており、あらゆる要求を満足させる事が出来る。
【考案の開示】
【考案が解決しようとする課題】
【０００３】
上述した問題を鑑みて、ＵＳＢ規格に準拠する伝送モードに対応する新型カード用コネクタを開発することが必要である。
【０００４】
本考案は、カードと嵌合する時のデータ伝送速度を向上させるカード用コネクタを提供することを目的とする。
【課題を解決するための手段】
【０００５】
前記目的を達成するために、本考案によれば、カードを収容するための挿着空間が形成される絶縁本体と、前記絶縁本体に装着され、カードと接続するためのコンタクト部を有する複数の導電端子とを含むカード用コネクタにおいて、前記複数の導電端子は第一導電端子の組を含み、第一導電端子としての４本の導電端子は、順に、接地端子、第１信号端子、第２信号端子、電源端子であることを特徴とする。
【考案の効果】
【０００６】
従来の技術と比べると、本考案には以下の長所がある。カード用コネクタの第一導電端子の組は、ＵＳＢ規格の配置方式に適合するので、ＵＳＢ規格の信号を送受信でき、カードと電子機器との間のデータ伝送速度が向上する。
【考案を実施するための最良の形態】
【０００７】
図１〜図９に基づいて、本考案のカード用コネクタについての実施形態を説明する。本考案のカード用コネクタ１００は、電子機器の回路基板２００に実装され、カード６と接続するために用いられ、絶縁本体１と、絶縁本体１に装着された複数の導電端子２と、一対のスイッチ端子３と、イジェクト機構４と、絶縁本体１を覆うシェル５とを含む。
【０００８】
図３〜図６を参照すると、絶縁本体１は、取付壁１１と、取付壁１１の両側からそれぞれ延出するように形成される第１側壁１２、第２側壁１３と、底壁１４とを有し、前記取付壁１１と第１側壁１２と第２側壁１３と底壁１４とによりカード６を収容するための挿着空間１６が形成され、前記取付壁１１はカード６の挿入口と遠離した挿着空間１６の一端に位置する。
【０００９】
前記取付壁１１には、前記複数の導電端子２を対応して装着させる収容溝１１１と、スイッチ端子３を収容するための第１端子溝１１２と、第２端子溝１１３とがそれぞれ形成され、前記収容溝１１１と第２端子溝１１３とが底壁１４に延出するように形成される。前記イジェクト機構４が第１側壁１２に装着され、第１側壁１２には、前記挿着空間１６に連通する収容空間１２１が形成され、収容空間１２１の一端に保持凸部１２２が形成され、他端に心臓形状のレール１２３（図７に示す）が形成される。
【００１０】
前記導電端子２は、カード６の挿入方向と正対して、幅方向に整列配置され、収容溝１１１に対応して装着される基部２１と、基部２１から挿着空間１６へ前向きに延出する弾性を有するコンタクト部２２と、基部２１から後向きに延出する半田付け部２３とを含む。本実施形態において、複数の導電端子２は１６本あり、４本ずつ、四組に分類される。各組４本の導電端子２は、順に接地端子２４、第１信号端子２５、第２信号端子２６、電源端子２７として設置される。前記第１信号端子２５及び第２信号端子２６は一対の差動信号端子として高速信号を送受信するために用いられる。各組の導電端子２の接地端子２４、第１信号端子２５、第２信号端子２６、電源端子２７の配置方式がＵＳＢ２.０標準規格によるソケットコネクタの導電端子の配置方式と完全に同じであるので、ＵＳＢ２.０規格がカード用コネクタ１００に適用される。したがって、カード用コネクタ１００がＵＳＢ規格の信号を送受信でき、カード６と電子機器との間のデータ伝送速度が向上する。
【００１１】
図６を参照すると、スイッチ端子３は第１スイッチ端子３１と第２スイッチ端子３２とを有し、前記第１スイッチ端子３１は、前記第１端子溝１１２に保持される第１保持部３１１と、第１保持部３１１の一端から後向きに延出する第１半田付け部３１２と、第１保持部３１１の他端から延出するカード６に当接するための接触部３１３と、接触部３１３の末端に位置する第１導接部３１４とを含む。前記第２スイッチ端子３２は、第２端子溝１１３に保持される第２保持部３２１と、第２保持部３２１の両端からそれぞれ延出するように形成された第２半田付け部３２２及び第１スイッチ端子３１の第１導接部３１４と接触または分離できる第２導接部３２３とを有する。
【００１２】
イジェクト機構４は、金属板からなるスライド部材４１と、弾性部材４２と、連動柄４３とを有する。前記スライド部材４１は、前記底壁１４に貼り付けるように配置される主体部４１１と、主体部４１１の両側から上向きに折曲がる第１側板４１２及び第２側板４１３とを含み、主体部４１１の第１側板４１２に隣接する箇所には係合アーム４１４が形成され、主体部４１１の後端には互いに間隔を持って配置される延出アーム４１５が形成され、各延出アーム４１５の末端には当接部４１６がそれぞれ形成され、カード６の挿入をガイドするために、前記第１側板４１２及び第２側板４１３には挿着空間１６方向に延出する当接部４１７及び４１８がそれぞれ形成される。
【００１３】
前記弾性部材４２は、一端４２１が前記絶縁本体１の保持凸部１２２に係合され、他端４２２がスライド部材４１の第２側板４１３に係合される。前記連動柄４３は、本体部４３１と、本体部４３１の両端からそれぞれ折曲がるように形成される第１端部４３２と、第２端部４３３とを含み、前記第１端部４３２がスライド部材４１の第２側板４１３に係合され、第２端部４３３が絶縁本体１のレール１２３にスライド可能に配置される。前記連動柄４３の第２端部４３３をレール１２３で安定してスライドさせることを保証するために、前記第２側板４１３には連動柄４３の本体部４３１に押圧する弾性片４５が一体に形成される。
【００１４】
図５と図６を参照すると、前記シェル５は絶縁本体１を覆い、金属板からなり、挿着空間１６を覆う天板５１と、天板５１の両側から折曲がって延出し、絶縁本体１の第１側壁１２及び第２側壁１３に係合するための第１側壁５２及び第２側壁５３を有する。
【００１５】
図１０を参照すると、カード６は、底面６１に、挿入方向と平行に配置される複数の導電パッド６２と、一端に形成された凹部６３とを有し、複数の導電パッド６２は１６枚から成り、４枚ずつ四組に分類される。各組の導電パッド６２は、導電端子２４、２５、２６、２７にそれぞれ接続される。各組の導電パッド６２の配置方式はＵＳＢ規格に準拠し、すなわち、カード６は並設される４つのＵＳＢ規格のコネクタと適合するので、カード６の伝送速度が向上する。
【００１６】
図７と図８を参照すると、使用者が手でカード６を挿着空間１６に挿入する際に、連動柄４３の第２端部４３３をレール１２３でＡ箇所から矢印方向に沿ってスライドさせることができる。カード６の挿入に伴ってカード６の先端がスライド部材４１の当接部４１６、４１７、４１８に当接すると共に、係合アーム４１４がカード６の凹部６３に係合することによってスライド部材４１をカードの挿入方向へスライドさせられ、弾性部材４２が弾性変形を生じ、導電パッド６２が導電端子２に接続し始める。カード６が挿着空間１６の末端まで挿入された際に、前記連動柄４３の第２端部４３３がレール１２３のＢ箇所までスライドし、この時、カード６の先端が第１スイッチ端子３１の接触部３１３を押圧し、このとき、第１スイッチ端子３１の第１導接部３１４は、第２スイッチ端子３２の第２導接部３２３と分離している。
【００１７】
使用者が手をカード６から離す際に、弾性部材４２の弾性変形力により、連動柄４３の第２端部４３３がレール１２３のＣ箇所までに後退させられることに伴って、カード６が挿入方向と反する排出方向へ所定の距離を後退し、この時、第１スイッチ端子３１と第２スイッチ端子３２とが導通する状態に回復する。カード６を挿着空間１６からイジェクトする際に、カード６を挿入方向へ手で再び押圧すると、連動柄４３の第２端部４３３がレール１２３のＤ箇所までスライドし、第１スイッチ端子３１の第１導接部３１４が、第２スイッチ端子３２の第２導接部３２３と分離する。その後、使用者がカード６を離して、イジェクト機構４が弾性部材４２の弾性力により連動柄４３の第２端部４３３をレール１２３のＡ箇所に回復させ、第１スイッチ端子３１と第２スイッチ端子３２とが導通する状態に回復する。
【００１８】
従来技術と較べて、本考案のカード用コネクタ１００とカード６とは、ＵＳＢ規格に準拠することによって、カード６がカード用コネクタ１００に挿入される際に、カード６と電子機器との間のデータ伝送速度が向上する。
【００１９】
以上本考案について、好適な実施の形態を参照して詳細に説明したが、実施形態はあくまでも例示的なものであり、これらに限定されるものではない。また前記の説明において、本考案に基づきなしうる細部の修正や変更など、いずれも本考案の請求範囲に属するものとする。
【図面の簡単な説明】
【００２０】
【図１】本考案に係るカード用コネクタの斜視図である。
【図２】本考案に係るカード用コネクタの他の角度から見た斜視図である。
【図３】本考案に係るカード用コネクタのシェルが外れた状態の斜視図である。
【図４】図３に示すカード用コネクタシェルが外れた状態の他の角度から見た斜視図である。
【図５】本考案に係るカード用コネクタの分解図である。
【図６】図５に示すカード用コネクタの他の角度から見た分解図である。
【図７】本考案に係るカード用コネクタのシェルが外れた状態の平面図である。
【図８】図７に示すカード用コネクタの破線で示す部分の拡大図である。
【図９】本考案に係るカード用コネクタが回路基板に実装され、カードが挿入されていない状態の斜視図である。
【図１０】本考案に係るカード用コネクタに挿入できるカードの斜視図である。
【符号の説明】
【００２１】
１  絶縁本体
１１  取付壁
１２、５２  第１側壁
１３、５３  第２側壁
１４  底壁
１６  挿着空間
１１１  収容溝
１１２  第１端子溝
１１３  第２端子溝
１２１  収容空間
１２２  保持凸部
１２３  レール
２  導電端子
２１  基部
２２  コンタクト部
２３  半田付け部
２４  接地端子
２５  第１信号端子
２６  第２信号端子
２７  電源端子
３  スイッチ端子
３１  第１スイッチ端子
３２  第２スイッチ端子
３１１  第１保持部
３１２  第１半田付け部
３１３  接触部
３１４  第１導接部
３２１  第２保持部
３２２  第２半田付け部
３２３  第２導接部
４  イジェクト機構
４１  スライド部材
４２  弾性部材
４３  連動柄
４５  弾性片
４１１  主体部
４１２  第１側板
４１３  第２側板
４１４  係合アーム
４１５  延出アーム
４１６、４１７、４１８  当接部
４２１  弾性部材の一端
４２２  弾性部材の他端
４３１  本体部
４３２  第１端部
４３３  第２端部
５  シェル
５１  天板
６  カード
６１  底面
６２  導電パッド
６３  凹部
１００  カード用コネクタ
２００  回路基板
【図１】
0003148128.tif 000003
【図２】
0003148128.tif 000004
【図３】
0003148128.tif 000005
【図４】
0003148128.tif 000006
【図５】
0003148128.tif 000007
【図６】
0003148128.tif 000008
【図７】
0003148128.tif 000009
【図８】
0003148128.tif 000010
【図９】
0003148128.tif 000011
【図１０】
0003148128.tif 000012